(57)【要約】【課題】落ち葉などの塵類から砂利や砂や土などを簡単に分別して廃棄できる篩機能付塵取り具を提供すること。【解決手段】第一手箕体２上に、篩部７を備えた第二手箕体４が取付けられ、第二手箕体４の底板部５と第一手箕体２の底板部８との間に、篩部７から落下する小径塵類Ｄ１を収容可能な収容空間部９が形成され、第二手箕体４上の塵類Ｄの排出を阻止する段差部10が、第二手箕体４の底板部５の篩部７より前側に設けられ、第一手箕体２の底板部８上面に接することで収容空間部９に収容されている小径塵類Ｄ１の排出を阻止する接触縁部14が、第二手箕体４の底板部５の篩部７より前側裏面に設けられている篩機能付塵取り具。【選択図】図４
2019069032.tif 000002
【特許請求の範囲】
【請求項１】
前端部に塵類を取り入れ可能な取り入れ口を備えた第一手箕体と、前端部に塵類を取り入れ可能な取り入れ口を備えていると共に底板部に多数の篩落とし小孔を有する篩部を備えた第二手箕体とから成り、前記第二手箕体の周壁上縁部に、前記第一手箕体の周壁上縁部に上方から着脱自在に載置する載置重合部が設けられ、この載置重合部を第一手箕体の周壁上縁部に上方から載置することによって第一手箕体上に第二手箕体が着脱自在に取付けられるように構成されていると共に、第二手箕体の底板部と第一手箕体の底板部との間に、前記篩部から落下する小径塵類を収容可能な収容空間部が形成される形状に第二手箕体が構成されており、この第二手箕体上の塵類を篩部で篩にかける際に、この塵類の前記取り入れ口からの排出を阻止する段差部が、第二手箕体の底板部の前記篩部より前側に設けられ、前記第一手箕体と共に第二手箕体を傾けることにより第二手箕体上の塵類を前記段差部を越えさせて前記取り入れ口から排出させる際に、第一手箕体の底板部上面に接することで前記収容空間部に収容されている小径塵類の前記取り入れ口側からの排出を阻止する接触縁部が、第二手箕体の底板部の前記篩部より前側裏面に設けられていると共に、この接触縁部は、前記底板部の左右幅一杯の長さに形成されていることを特徴とする篩機能付塵取り具。
【請求項２】
前記第二手箕体の底板部は、前記篩部より前側に段差部が設けられ、この段差部より前側が上段底部となり段差部より後側が篩部を備えた下段底部となる段差状底板部に形成されていて、前記下段底部上に取り入れられた塵類の前記取り入れ口からの排出がこの段差部によって阻止されるように構成されていると共に、この段差部は、下端縁の裏面が第一手箕体の底板部上面に接する形状に形成されていて、この段差部の下端縁の裏面が前記接触縁部として構成されていることを特徴とする請求項１記載の篩機能付塵取り具。
【請求項３】
前記第二手箕体は、第一手箕体上に第二手箕体が取付けられた際にこの底板部の前縁部が第一手箕体の底板部上面に接する形状に形成されていて、この底板部の前縁部が前記接触縁部として構成されていることを特徴とする請求項１，２のいずれか１項に記載の篩機能付塵取り具。
【請求項４】
前記第二手箕体の周壁上縁部に、この第二手箕体の後壁部を前記第一手箕体の後壁部に沿わせた状態で第一手箕体の周壁上縁部に上方から載置係合する前記載置重合部が設けられ、この載置重合部を第一手箕体の周壁上縁部に載置係合することにより第一手箕体上に第二手箕体が取り付けられた際、この第二手箕体の底板部が第一手箕体の底板部に対し傾斜する形状に形成されていて、第二手箕体の底板部と第一手箕体の底板部との間に前記収容空間部が形成されるように構成されていることを特徴とする請求項１〜３のいずれか１項に記載の篩機能付塵取り具。
【発明の詳細な説明】
【技術分野】
【０００１】
本発明は、屋外清掃等での利用に便利な篩機能付塵取り具に関するものである。
【背景技術】
【０００２】
従来から、手箕やちりとりや篩としても使用可能な手箕が実施されている（特許文献１参照）。
【０００３】
この特許文献１を簡単に説明すると、底面の後方に多数の分別孔が設けられている篩本体と、この篩本体に付け外し可能な篩本体より小型のちりとり部との二つの部材で構成され、篩本体にちりとり部を取付けた状態では、多数の分別孔が塵取り部に塞がれて篩本体を塵取りや手箕として使用することができ、篩本体から塵取り部を取り外せば、篩本体を篩として使用できるものである。
【先行技術文献】
【特許文献】
【０００４】
【特許文献１】特許第５６１０３５５号公報
【発明の概要】
【発明が解決しようとする課題】
【０００５】
本発明は、上記特許文献１のような手箕としても塵取りとしても篩としても使用可能な二部材から成る製品の実用性を更に追求したもので、屋外清掃等で砂利や砂や土などが混じった塵類の塵取りとして使用した際に、この塵類を砂利などの地面にかえしたいものと落ち葉や枯草などの廃棄処分したいものとに簡単に分別して廃棄可能となる実用性に優れた篩機能付塵取り具を提供するものである。
【課題を解決するための手段】
【０００６】
添付図面を参照して本発明の要旨を説明する。
【０００７】
前端部に塵類Ｄを取り入れ可能な取り入れ口１を備えた第一手箕体２と、前端部に塵類Ｄを取り入れ可能な取り入れ口３を備えていると共に底板部５に多数の篩落とし小孔６を有する篩部７を備えた第二手箕体４とから成り、前記第二手箕体４の周壁上縁部に、前記第一手箕体２の周壁上縁部に上方から着脱自在に載置する載置重合部13が設けられ、この載置重合部13を第一手箕体２の周壁上縁部に上方から載置することによって第一手箕体２上に第二手箕体４が着脱自在に取付けられるように構成されていると共に、第二手箕体４の底板部５と第一手箕体２の底板部８との間に、前記篩部７から落下する小径塵類Ｄ１を収容可能な収容空間部９が形成される形状に第二手箕体４が構成されており、この第二手箕体４上の塵類Ｄを篩部７で篩にかける際に、この塵類Ｄの前記取り入れ口３からの排出を阻止する段差部10が、第二手箕体４の底板部５の前記篩部７より前側に設けられ、前記第一手箕体２と共に第二手箕体４を傾けることにより第二手箕体４上の塵類Ｄを前記段差部10を越えさせて前記取り入れ口３から排出させる際に、第一手箕体２の底板部８上面に接することで前記収容空間部９に収容されている小径塵類Ｄ１の前記取り入れ口１側からの排出を阻止する接触縁部14が、第二手箕体４の底板部５の前記篩部７より前側裏面に設けられていると共に、この接触縁部14は、前記底板部５の左右幅一杯の長さに形成されていることを特徴とする篩機能付塵取り具に係るものである。
【０００８】
また、前記第二手箕体４の底板部５は、前記篩部７より前側に段差部10が設けられ、この段差部10より前側が上段底部11となり段差部10より後側が篩部７を備えた下段底部12となる段差状底板部５に形成されていて、前記下段底部12上に取り入れられた塵類Ｄの前記取り入れ口３からの排出がこの段差部10によって阻止されるように構成されていると共に、この段差部10は、下端縁の裏面が第一手箕体２の底板部８上面に接する形状に形成されていて、この段差部10の下端縁の裏面が前記接触縁部14として構成されていることを特徴とする請求項１記載の篩機能付塵取り具に係るものである。
【０００９】
また、前記第二手箕体４は、第一手箕体２上に第二手箕体４が取付けられた際にこの底板部５の前縁部が第一手箕体２の底板部８上面に接する形状に形成されていて、この底板部５の前縁部が前記接触縁部14として構成されていることを特徴とする請求項１，２のいずれか１項に記載の篩機能付塵取り具に係るものである。
【００１０】
また、前記第二手箕体４の周壁上縁部に、この第二手箕体４の後壁部17を前記第一手箕体２の後壁部20に沿わせた状態で第一手箕体２の周壁上縁部に上方から載置係合する前記載置重合部13が設けられ、この載置重合部13を第一手箕体２の周壁上縁部に載置係合することにより第一手箕体２上に第二手箕体４が取り付けられた際に、この第二手箕体４の底板部５が第一手箕体２の底板部８に対し傾斜する形状に形成されていて、第二手箕体４の底板部５と第一手箕体２の底板部８との間に前記収容空間部９が形成されるように構成されていることを特徴とする請求項１〜３のいずれか１項に記載の篩機能付塵取り具に係るものである。
【発明の効果】
【００１１】
本発明は上述のように構成したから、第一手箕体を単体で手箕や塵取りとして使用でき且つ第二手箕体を単体で篩として使用できることに加えて、第一手箕体上に第二手箕体を取付けて屋外清掃用の塵取り具としても使用でき、この場合、第二手箕体上に塵類を取り入れた後、本篩機能付塵取り具を揺り動かすことにより（篩にかけることにより）、篩部を介して砂利や砂や土などの小径塵類を収容空間部に分別収容できると共に、この篩作業中に第二手箕体上の落ち葉や枯草などの塵類が取り入れ口側に動いても、段差部により塵類が取り入れ口から排出することを阻止でき、篩作業終了後に、第一手箕体と共に第二手箕体を傾けて第二手箕体上に残った落ち葉などを取り入れ口から排出する際には、第二手箕体の底板部の接触縁部が第一手箕体の底板部上面に接していることにより、前記収容空間部に収容されている砂利などは、前記取り入れ口からの排出が阻止されて確実に落ち葉などだけを排出でき、落ち葉などの排出後に第二手箕体を取り外すことで砂利などを地面にかえすことができる極めて実用性に優れた篩機能付塵取り具となる。
【００１２】
また、請求項２記載の発明においては、前記作用・効果を確実に発揮する段差部と接触縁部とを簡易構成により容易に設計実現可能となる一層実用性に優れた構成の篩機能付塵取り具となる。
【００１３】
また、請求項３記載の発明においては、前記作用・効果を確実に発揮する接触縁部を簡易に設計実現可能となると共に、この第二手箕体の底板部の前縁部が第一手箕体の底板部上面に接しているため、第一手箕体の取り入れ口から取り入れられた塵類を第二手箕体の取り入れ口から容易に第二手箕体上へと取り入れて篩作業を行うことができる一層実用性に優れた構成の篩機能付塵取り具となる。
【００１４】
また、請求項４記載の発明においては、第一手箕体上に第二手箕体が取付けられた際に、第二手箕体の底板部と第一手箕体の底板部との間に確実に収容空間部が形成される第二手箕体を簡易に設計実現可能となる一層実用性に優れた篩機能付塵取り具となる。
【図面の簡単な説明】
【００１５】
【図１】本実施例を示す斜視図である。
【図２】本実施例を示す第一手箕体と第二手箕体の分解斜視図である。
【図３】本実施例に取り入れた塵類を、篩部を利用して小径塵類と分別した様子を示す説明側断面図である。
【図４】図３に続いて、第二手箕体上に残った塵類を廃棄する様子を示す説明図である。
【発明を実施するための形態】
【００１６】
好適と考える本発明の実施形態を、図面に基づいて本発明の作用を示して簡単に説明する。
【００１７】
本発明の篩機能付塵取り具は、第一手箕体２を単体で手箕や塵取りとして使用可能であり、また、篩部７を備えた第二手箕体４を単体で篩として使用可能である。
【００１８】
また、この第一手箕体２と第二手箕体４とは、第二手箕体４の周壁上縁部に設けられている載置重合部13を、第一手箕体２の周壁上縁部に上方から載置すると、第一手箕体２上に第二手箕体４が着脱自在に取付けられ、この第一手箕体２上に第二手箕体４が取付けられた状態で塵取り具として使用することができ、この本発明を特に屋外での清掃作業に用いると、取り入れた塵類Ｄを落ち葉や枯草などの比較的大きな塵類Ｄと、砂利や砂や土などの小径塵類Ｄ１とに分別することが可能である。
【００１９】
具体的には、第一手箕体２上に第二手箕体４が取付けられた状態で取り入れ口１を地面に沿わせて地面から塵類Ｄを掬い上げたり、取り入れ口１に塵類Ｄを箒で掃き込んだりすることで、取り入れ口３を介して第二手箕体４上に塵類Ｄを取り入れた後、本篩機能付塵取り具を揺り動かすと（篩にかけると）、第二手箕体４の底板部５に備えた篩部７の篩落とし小孔６を介して砂利や砂や土などの小径塵類Ｄ１が第二手箕体４の底板部５と第一手箕体２の底板部８との間の収容空間部９に落下収容され、落ち葉や枯草などの比較的大きな（篩落とし小孔６を通ることができない）塵類Ｄだけが第二手箕体４の底板部５（篩部７）上に残ることとなる。
【００２０】
即ち、塵類Ｄが、第二手箕体４の底板部５上に残った落ち葉などと、収容空間部９内の砂利などとに分別されることとなる。
【００２１】
また、この際、本篩機能付塵取り具を揺り動かすことで第二手箕体４上の塵類Ｄが取り入れ口３側に動いても、第二手箕体４の底板部５の篩部７より前側に設けられている段差部10により塵類Ｄが取り入れ口３側から排出されようとすることが阻止される。
【００２２】
篩作業（分別作業）終了後は、前記第一手箕体２と共に第二手箕体４を傾けて第二手箕体４上に残った落ち葉などを前記段差部10を超えさせて前記取り入れ口３から排出させるが、この際、第二手箕体４の底板部５の前記篩部７より前側に設けられている接触縁部14が第一手箕体２の底板部８上面に接していることにより、前記収容空間部９に収容されている砂利などは、前記取り入れ口１からの排出が阻止されることとなる。
【００２３】
従って、砂利などは収容空間部９に残したまま、第二手箕体４上の落ち葉などだけを取り入れ口１から排出して塵袋23に詰めることができ、砂利などが入ることで塵袋23がすぐに一杯になってしまったり、重くなってしまったりすることを防止できる。
【００２４】
収容空間部９に残った砂利などは、第一手箕体２から第二手箕体４を取り外すことで地面へかえすことができる。
【実施例】
【００２５】
本発明の具体的な実施例について図面に基づいて説明する。
【００２６】
本実施例は、前端部に塵類Ｄを取り入れ可能な取り入れ口１を備えた第一手箕体２と、前端部に塵類Ｄを取り入れ可能な取り入れ口３を備えた第二手箕体４とから成り、第一手箕体２に第二手箕体４が着脱自在に取付け可能に構成されている篩機能付塵取り具に係るものである。
【００２７】
具体的には、本実施例の第一手箕体２は、図１，図２に示すように、合成樹脂製であって、平面視略方形状をなす底板部８の前端部を除いた左右部と後部とに周壁部が立設する手箕形状に一体成形されている。
【００２８】
また、この第一手箕体２の左壁部18と右壁部19は、後側ほど緩やかに高さが増す傾斜壁に形成されていて、その後端は後壁部20と同じ高さを有する形状に形成され（後方側ほど底が深くなる形状に形成され）、さらにこの周壁上縁部（左壁部18と右壁部19と後壁部20の上縁部）には、外方へ鍔状に突設した後短く垂下する断面略Ｌ字状の持ち手部21が設けられ（一体成形され）、周壁のない前端部は、塵類Ｄを取り入れ可能な前記取り入れ口１として構成されている。
【００２９】
本実施例の第二手箕体４は、図１，図２に示すように、合成樹脂製であって、前記第一手箕体２と同様に平面視略方形状をなす底板部５の前端部を除いた左右部と後部とに周壁部が立設する手箕形状に一体成形されているが、前後方向の長さ寸法が第一手箕体２の前後長に比して２／３程度となるように短く設定されていると共に、第一手箕体２とは異なり、底板部４に多数の篩落とし小孔６を有する篩部７が備えられている。
【００３０】
また、この第二手箕体４の左壁部15と右壁部16は、その前端部を除いた略全域が後壁部17と同じ高さを有する形状に形成されていると共に、この左壁部15と右壁部16の前端部は後側ほど急激に高さが増す傾斜上縁を有する形状に形成され、さらに周壁上縁部（左壁部15と右壁部16と後壁部17の上縁部）には、外方へ鍔状に突設して持ち手としても機能する載置重合部13が設けられ、周壁のない前端部は、塵類Ｄを取り入れ可能な前記取り入れ口３として構成されている。
【００３１】
また、この第二手箕体４は、前記載置重合部13の左右部と後部を前記第一手箕体２の周壁上縁部（持ち手部21）の左右部と後部に位置を合わせて上方から着脱自在に載置重合係合可能に構成されていて、この載置重合部13を第一手箕体２の周壁上縁部に上方から載置重合係合することによって第一手箕体２上に第二手箕体４が着脱自在に取付けられるように構成されている。
【００３２】
また、この載置重合部13には、その左右部と後部とに、前記持ち手部21の左右部と後部に外側から接して、第二手箕体４の第一手箕体２に対する位置ズレを防止する位置決め片22が垂設状態に一体成形されている。即ち、載置重合部13は、前記第二手箕体４の後壁部17を第一手箕体２の後壁部20にぴったりと沿わせた（接した）状態で第一手箕体２の周壁上縁部に載置係合し得るように（第一手箕体２の後側に第二手箕体４が取付けられるように）構成されている（図３，図４参照）。
【００３３】
また、この第二手箕体４は、第一手箕体２上に第二手箕体４が取付けられると、第二手箕体４の底板部５と第一手箕体２の底板部８との間に、前記篩部７から落下する小径塵類Ｄ１を収容可能な収容空間部９が形成される形状に形成されている。
【００３４】
更に詳しくは、第二手箕体４は、前記第一手箕体２よりも浅底形状で且つ前記底板部５の前側を除いた板面が左壁部15及び右壁部16の前端部を除いた上縁部と略平行となる形状に形成されていて、前記載置重合部13を第一手箕体２の周壁上縁部（持ち手部21）に載置重合係合することにより第一手箕体２上にこの第二手箕体４が取り付けられると、底板部５が前記第一手箕体２の底板部８に対し傾斜状態となって、この第二手箕体４の底板部５と第一手箕体２の底板部８との間に後方側ほど深底となる前記収容空間部９が形成されるよう構成されている（図３，図４参照）。
【００３５】
また、本実施例では、この第二手箕体４上の塵類Ｄを篩部７で篩にかける際に、この塵類Ｄの前記取り入れ口３からの排出を阻止する段差部10が、第二手箕体４の底板部５の前記篩部７より前側に設けられている。
【００３６】
具体的には、第二手箕体４の底板部５は、その前側寄りに左右幅一杯の段差部10が設けられ、この段差部10より前側が上段底部11となり段差部10より後側が前記篩部７を備えた下段底部12となる段差状底板部５に形成されている。そして、下段底部12上に取り入れられた塵類Ｄの前記取り入れ口３からの排出が、この取り入れ口３を下に向けて第二手箕体４を大きく傾けない限りはこの段差部10によって阻止されるように構成されている（図３参照）。
【００３７】
また、本実施例では、前記第一手箕体２と共に第二手箕体４を傾けることにより第二手箕体４上の塵類Ｄを前記取り入れ口３から排出させる際に、第一手箕体２の底板部８上面に接することで前記収容空間部９に収容されている小径塵類Ｄ１の前記取り入れ口１側からの排出を阻止する接触縁部14が、第二手箕体４の底板部５の前記篩部７より前側裏面に設けられていると共に、この接触縁部14は、前記底板部５の左右幅一杯の長さに形成されている。
【００３８】
具体的には、前記段差部10は、第一手箕体２上に第二手箕体４が取付けられた際に下端縁の裏面全縁部が第一手箕体２の底板部８上面に接する形状に形成されていて、この段差部10の下端縁の裏面が、底板部５の左右幅一杯の長さを有する前記接触縁部14として構成されている。
【００３９】
また、第二手箕体４は、第一手箕体２上に第二手箕体４が取付けられた際に底板部５の前縁部が第一手箕体２の底板部８上面に当接する形状に形成され、この底板部５の前縁部も、底板部５の左右幅一杯の長さを有する前記接触縁部14として構成されていると共に、第一手箕体２の取り入れ口１から取り入れられた塵類Ｄを第二手箕体４の取り入れ口３から容易に第二手箕体４の底板部５上へと取り入れることができるように構成されている。
【００４０】
即ち、本実施例は、底板部５の篩部７より前側に、前後二箇所の接触縁部14が設けられている場合を示したもので、篩作業（分別作業）終了後は、前記第一手箕体２と共に第二手箕体４を傾けて第二手箕体４上に残った落ち葉などを前記段差部10を超えさせて前記取り入れ口３から排出させるが、この際、第二手箕体４の底板部５の前記篩部７より前側に設けられている前後二箇所の接触縁部14が第一手箕体２の底板部８上面に接していることにより、前記収容空間部９に収容されている砂利などは、前記取り入れ口１からの排出が確固に阻止されて落ち葉などだけを塵袋23に廃棄できるように構成され、収容空間部９内に残った砂利などは、第一手箕体２から第二手箕体４を取り外すことで地面へとかえすことができるように構成されている（図４参照）。
【００４１】
尚、本発明は、本実施例に限られるものではなく、各構成要件の具体的構成は適宜設計し得るものである。
【符号の説明】
【００４２】
１  取り入れ口
２  第一手箕体
３  取り入れ口
４  第二手箕体
５  底板部
６  篩落とし小孔
７  篩部
８  底板部
９  収容空間部
10  段差部
11  上段底部
12  下段底部
13  載置重合部
14  接触縁部
17  後壁部
20  後壁部
Ｄ  塵類
Ｄ１  小径塵類
【図１】
2019069032.tif 000003
【図２】
2019069032.tif 000004
【図３】
2019069032.tif 000005
【図４】
2019069032.tif 000006